(57)【要約】【課題】  フックに取り付ける対象物の取り付け、および取り外しが容易であり、かつ製造コストを削減したフック材を提供することを目的とする。【解決手段】  支持体１１０と接近する位置まで延設されたフック部１３０の先端と、支持体１１０と、が接近したフック部１３０に挿入するための挿入口１７０の近傍における支持体１１０側から支持体側突起１６０が突設され、挿入口１７０の近傍におけるフック部１３０側からフック部側突起１５０が突設される。【選択図】図１
0003229744.tif 000002
【実用新案登録請求の範囲】
【請求項１】
垂直方向に設けられる支持体と、前記支持体の一方の端部が前記支持体の他方側に向けて延設されてフック状に折り返されるフック部と、を具備するフック材において、
前記支持体と接近する位置まで延設された前記フック部の先端と、前記支持体と、が接近した前記フック部に挿入するための挿入口の近傍における前記支持体側から突設された支持体側突起と、
前記挿入口の近傍における前記フック部側から突設されたフック部側突起と、
を備えることを特徴とするフック材。
【請求項２】
前記支持体側突起および前記フック部側突起は、
上面方向からの投影視で重なりを有する位置に設けられること、
を特徴とする請求項１記載のフック材。
【請求項３】
前記支持体側突起および前記フック部側突起は、
正面方向からの投影視で重なりを有する位置に設けられること、
を特徴とする請求項１記載のフック材。
【請求項４】
前記フック部側突起は、
前記支持体側突起よりも、前記挿入口側に設けられること、
を特徴とする請求項１記載のフック材。
【請求項５】
前記支持体側突起または前記フック部側突起のうち、少なくとも一方が、短手方向に渡って設けられる半円柱であること、
を特徴とする請求項１記載のフック材。
【請求項６】
前記支持体側突起または前記フック部側突起のうち、少なくとも一方が、短手方向に渡って設けられる三角柱であること、
を特徴とする請求項１記載のフック材。
【請求項７】
前記挿入口から外側に折り返された折り返し部、
を備えることを特徴とする請求項１記載のフック材。
【請求項８】
前記折り返し部の折り返された内側が、
前記折り返し部を把持した際の滑り止め手段、
を備えることを特徴とする請求項７記載のフック材。
【請求項９】
前記挿入口の開口部が上方に向けて配置され、
前記開口部の上方から、前記フック部に吊り下げられる対象物が差し込まれること、
を特徴とする請求項１記載のフック材。
【請求項１０】
前記挿入口の開口部が下方に向けて配置され、
前記開口部の下方から、前記支持体側突起および前記フック部側突起によって把持される対象が差し込まれること、
を特徴とする請求項１記載のフック材。
【考案の詳細な説明】
【技術分野】
【０００１】
本考案は、フック材に関し、特に垂直方向に設けられる支持体と、前記支持体の一方の端部が前記支持体の他方側に向けてフック状に折り返されるフック部と、を備えるフック材に関する。
【背景技術】
【０００２】
従来から、小学生が主に使用するランドセルには、上履き袋、体操着袋、給食袋など、学習用品を収容する収容袋を吊り下げるためのランドセルフックが取り付けられている。また、ランドセルに取り付けられるランドセルフックは、小学生が乱暴にランドセルを取り扱ったとしても、ランドセルフックに吊り下げた収容袋が外れにくいように、いわゆる環状の茄子環が使用されている（たとえば、特許文献１〜３参照）
。
【０００３】
具体的に特許文献１では、環本体部とこの環本体部の上部に連接される連結環部とを同一平面上に設け、環本体部の一面側にはフック部と爪取付台とを突設されており、爪取付台には略Ｕ字状に折り曲げた弾性爪がその連結部の位置を段違いとすることで下端側がフック部の内面に弾止されるような付勢力を得るようにして取り付けられた茄子環本体が開示されている。
【０００４】
この茄子環本体は、まず弾性爪を指でフック部の内側に押し込む。これにより、弾性爪先端と環本体部とが離れることで開口された挿入部が形成される。形成された挿入部から収容袋の一部、たとえば収容袋である巾着袋の開口部を閉口するための絞り紐などを挿入して取り付けることで、茄子環本体に収容袋を吊り下げることができる。
【０００５】
収容袋を茄子環本体に吊り下げたあとは、弾性爪の弾性力により、弾性爪の下端側がフック部の内面に弾止されるので、吊り下げた収容袋が外れることがない。また、吊り下げた収容袋を茄子環本体から取り外す際は、弾性爪を指でフック部の内側に押し込むことで形成される挿入部から、吊り下げた収容袋の絞り紐などを取り外す。
【０００６】
また、特許文献２では、環状部と、この環状部の下側にあって環状部に回転自在に連結されたフックと、一端部がフックにおける差込口の上方の一方の端部にピンを介して回動自在に取り付けられ、他端部がフックにおける差込口の下方の他方の端部に内側から、ねじりコイルばねによって与えられた弾性力をもって当接するゲートとを有したフック部材が開示されている。
【０００７】
このフック部材は、まずフックの他端部を指で環状部の内側に押し込む。これにより、フックの他端部と環状部の下側とが離れることで開口された挿入部が形成される。形成された挿入部から、たとえば収容袋の絞り紐などを挿入して取り付けることで、フック部材に収容袋を吊り下げることができる。
【０００８】
収容袋をフック部材に吊り下げたあとは、ねじりコイルばねの弾性力により、フックの他端部が環状部の下側に弾止されるので、吊り下げた収容袋が外れることがない。また、吊り下げた収容袋をフック部材から取り外す際は、フックを指で環状部の内側に押し込むことで形成される挿入部から、吊り下げた収容袋の絞り紐などを取り外す。
【０００９】
さらに、特許文献３では、下端中央に設けたフック部と、鋼線をＵ字形に折り曲げて形成したばね部を取付けた吊下部の上方に、軸線方向と直角方向の上方側に嵌合孔と連通する連通路を開口した嵌合孔を有した支持部と、を一体に形成された茄子環体が開示されている。
【００１０】
この茄子環体は、まずばね部を指でフック部の内側に押し込む。これにより、ばね部の先端とフック部とが離れることで開口された挿入部が形成される。形成された挿入部から、たとえば巾着袋の絞り紐などを挿入して取り付けることで、茄子環体に収容袋を吊り下げることができる。
【００１１】
収容袋を茄子環体に吊り下げたあとは、ばね部の弾性力により、ばね部の下端側がフック部の内面に弾止されるので、吊り下げた収容袋が外れることがない。また、吊り下げた収容袋を茄子環体から取り外す際は、ばね部を指でフック部の内側に押し込むことで形成される挿入部から、吊り下げた収容袋の絞り紐などを取り外す。
【先行技術文献】
【特許文献】
【００１２】
【特許文献１】実公平７−１５４５２号公報
【特許文献２】実用新案登録第３１５６８８４号公報
【特許文献３】実用新案登録第３１７６１８９号公報
【考案の概要】
【考案が解決しようとする課題】
【００１３】
しかし、上記のランドセルフックは、収容袋を取り付けたり、取り外したりする際に、前述の弾性爪、フック、ばね部などのような、弾性力を備えた弾性部材をランドセルフックの内側に向けて押し込まなければならないため、収容袋の取り付け、取り外しが困難であるという問題があった。
【００１４】
実際に、収容袋を取り付ける作業や、取り外す作業は、ランドセルを使用する小学生が行う。特に、低学年の子どもは、指先が器用ではない場合や、弾性部材をランドセルフックの内側に向けて指で押し込む力が足りない場合がある。この場合、低学年の子どもは収容袋をランドセルフックに吊り下げること、またはランドセルフックから収容袋を取り外すことができない。
【００１５】
この問題の対応案としては、低学年の子どもでも容易に収容袋の取り付け、取り外しができるように、弾性力を備えた弾性部材を使わない方法が考えられる。つまり、ランドセルフックが環状ではなく、常に挿入部が開口された状態のランドセルフックである。しかし、これでは常に挿入部が開口されているため、小学生が乱暴にランドセルを取り扱った場合に、収容袋がランドセルフックから外れてしまう問題が生じる。
【００１６】
そこで他の対応案として、低学年の子どもでも容易に弾性部材を押し込めるように、弾性部材の弾性力を弱めることも考えられる。しかし、弾性部材の弾性力を弱めてしまうと、その弾性力によって弾止された挿入部が容易に開口してしまうことになる。この場合も容易に挿入部が開口してしまうため、小学生が乱暴にランドセルを取り扱った場合に、収容袋がランドセルフックから外れてしまう問題が生じる。
【００１７】
さらに他の対応案として、低学年の子どもでも容易に弾性部材を押し込めるように、かつ小学生が乱暴にランドセルを取り扱っても容易に収容袋がランドセルフックから外れてしまわないように、この弾性部材を適当な弾性力に調整することが考えられる。しかし、６年間使用するランドセルに用いられるランドセルフックの弾性力を、長期に渡って適当な弾性力を一定にして調整することは難しい。
【００１８】
このため、ランドセルフックは、低学年の子どもでも容易に収容袋の取り付け、取り外しが困難であっても、確実に弾止できる弾性力を備えた弾性部材を採用するしかなかった。
【００１９】
また、このランドセルフックに、この弾性部材を採用することは製造コストがかかる問題もある。具体的に、特許文献１の茄子環体では、フック部と爪取付台が突設された環本体部、および爪取付台に取り付けられる弾性爪で構成されており、これらの部材をそれぞれ製造し、組み立てなければならない。つまり部品点数が多いと、製造工程、組立工程とが必要になるため製造コストが増加する問題がある。
【００２０】
本考案はこのような点に鑑みてなされたものであり、フックに取り付ける対象物の取り付け、および取り外しが容易であり、かつ製造コストを削減したフック材を提供することを目的とする。
【課題を解決するための手段】
【００２１】
本考案では上記問題を解決するために、垂直方向に設けられる支持体と、前記支持体の一方の端部が前記支持体の他方側に向けて延設されてフック状に折り返されるフック部と、を具備するフック材において、前記支持体と接近する位置まで延設された前記フック部の先端と、前記支持体と、が接近した前記フック部に挿入するための挿入口の近傍における前記支持体側から突設された支持体側突起と、前記挿入口の近傍における前記フック部側から突設されたフック部側突起とを備えることを特徴とするフック材が提供される。
【００２２】
これにより、支持体と接近する位置まで延設されたフック部の先端と、支持体と、が接近したフック部に挿入するための挿入口の近傍における支持体側から支持体側突起が突設され、挿入口の近傍におけるフック部側からフック部側突起が突設される。
【考案の効果】
【００２３】
本考案のフック材によれば、支持体と接近する位置まで延設されたフック部の先端と、支持体と、が接近したフック部に挿入するための挿入口の近傍における支持体側から支持体側突起が突設され、挿入口の近傍におけるフック部側からフック部側突起が突設されるので次のような効果がある。
【００２４】
フック部に挿入するための挿入口の近傍に支持体側突起およびフック部側突起が設けられており、挿入口の近傍がフック部の弾性力によって狭くなっているだけなので、挿入口から対象物を挿入するだけで、対象物をフック部の内側に容易に取り付けることができる。
【００２５】
またフック部の内側に挿入されて取り付けられた対象物は、フック部の弾性力によって狭くなっている挿入口近傍に支持体側突起およびフック部側突起が設けられるので、激しい動きでも簡単に対象物が外れることがない。
【００２６】
またフック部に挿入するための挿入口の近傍に支持体側突起およびフック部側突起が設けられており、挿入口の近傍がフック部の弾性力によって狭くなっているだけなので、フック部の内側に挿入されて取り付けられた対象物を引っ張って狭くなった挿入口を広げるだけで、対象物を容易に取り外すことができる。
さらに、支持体側突起が支持体側から突設され、また、フック部側突起がフック部側から突設されるだけなので、フック材を構成する部材点数を削減することができる。このため、各部材の製造工程と組立工程とを削減することができるので、製造コストを抑えることができる。
【図面の簡単な説明】
【００２７】
【図１】第１の実施の形態に係るフック全体を示す正面図、および側面図である。
【図２】収容袋の開口部を閉口するための絞り紐をフック材に挿入する様子を示すフック材の断面図である。
【図３】収容袋の開口部を閉口するための絞り紐がフック材に挿入され、フック材の内側で絞り紐が移動する様子を示すフック材の断面図である。
【図４】収容袋の開口部を閉口するための絞り紐がフック材に挿入され、挿入した絞り紐をフック材から取り外す様子を示すフック材の断面図である。
【図５】フック部、折り返し部、フック部側突起、および支持体側突起の形状例を示す側面図である。
【図６】第２の実施の形態に係るフック全体に紙材を固定する様子を示す側面図である。
【考案を実施するための形態】
【００２８】
以下、本考案の実施の形態を、図面を参照して詳細に説明する。
〔第１の実施の形態〕
図１は、第１の実施の形態に係るフック全体を示す正面図、および側面図である。
図１に示すようにフック材１００は、支持体１１０、連結部１２０、フック部１３０、折り返し部１４０、フック部側突起１５０、および支持体側突起１６０を備えている。
【００２９】
本実施の形態のフック材１００は、たとえばランドセルなどのバッグに取り付けられて、上履き袋、体操着袋、給食袋など、学習用品を収容する収容袋を吊り下げるためのランドセルフックである。またフック材１００は、合成樹脂などの耐久性の高い材質で形成されるものであるが、金属などの他の材質で成形することもできる。
【００３０】
また、フック材１００は、合成樹脂などの耐久性の高い材質を射出成形することで、支持体１１０、連結部１２０、フック部１３０、折り返し部１４０、フック部側突起１５０、および支持体側突起１６０を一体的に成形することができる。これにより、組立工程が削減され、製造コストを削減することができる。
【００３１】
支持体１１０は、ランドセルの側面に沿って垂直方向に設けられるものであって、プラスチックなどの合成樹脂が縦長の平面状に形成されたものである。
支持体１１０の一方側、本実施の形態では上方側には、フック材１００をランドセルに取り付けて支持するための連結部１２０が設けられている。連結部１２０は、たとえば支持体１１０から上方向に、プラスチックなどの合成樹脂が延設されたものである。
【００３２】
なお、本実施の形態で連結部１２０は、支持体１１０から上方向に設けられる例で示すが、連結部１２０を支持体１１０から下方向、または支持体１１０の中程、または複数箇所に設けることもできる。
【００３３】
連結部１２０の中心部付近には、たとえばハトメなどの鋲材でランドセルとフック材１００とを連結するための連結穴１２１があけられている。これにより、フック材１００とランドセルとが回転自在に連結することができる。
【００３４】
フック材１００とランドセルとの連結方法は、鋲材による連結だけでなく、フック材１００をランドセルに縫い付けるなど他の連結手段で連結してもよい。また連結手段によって、連結部１２０の形状は、任意の形状で形成することができる。
【００３５】
支持体１１０の他方側、本実施の形態では下方側には、フック材１００に上履き袋、体操着袋、給食袋など、学習用品を収容する収容袋を吊り下げるためのフック部１３０が設けられている。
【００３６】
フック部１３０は、支持体１１０の下端部から延設されて、上方向に向けられてＵ字状に折り曲げられ、折り曲げられたフック部１３０の先端が支持体１１０に近づくように形成されている。
【００３７】
このＵ字状に折り曲げられたフック部１３０の内側には、たとえば上履き袋、体操着袋、給食袋など、学習用品を収容する収容袋である巾着袋の開口部を閉口するための、ここでは図示しない絞り紐２００などが吊り下げられる。
【００３８】
また支持体１１０に近づくように折り曲げられたフック部１３０の先端と、支持体１１０との間に隙間が形成されることで、この隙間が絞り紐２００を挿入するための挿入口１７０となる。
【００３９】
挿入口１７０からフック部１３０の内側に絞り紐２００を挿入することで、Ｕ字状に折り曲げられたフック部１３０の内側に上履き袋、体操着袋、給食袋などの収容袋を吊り下げることができる。
【００４０】
支持体１１０に近づくように形成されたフック部１３０の先端には、フック部１３０から延設されてフック材１００の外側に折り返されるように折り曲げられた折り返し部１４０が形成される。
【００４１】
支持体１１０に近づくように折り曲げられたフック部１３０の先端に、折り返し部１４０を設けることで、挿入口１７０が大きくなる。これにより、挿入口１７０から絞り紐２００を挿入する動作がしやすくなる。
【００４２】
またフック部１３０はＵ字状に折り曲げられたことで得られる弾性により、絞り紐２００を挿入口１７０から挿入する際には、挿入口１７０の隙間幅であるフック部１３０の先端と支持体１１０との距離を広げることができる。
【００４３】
また挿入口１７０から絞り紐２００が挿入されたあとは、フック部１３０の弾性により、広げられる前、つまり元の挿入口１７０の隙間幅まで復元される。
この元の挿入口１７０の隙間幅を閉塞するように、フック部側突起１５０、および支持体側突起１６０が形成されている。
【００４４】
フック部側突起１５０は、フック材１００の内側に設けられる突起体であって、支持体１１０に近づくように折り曲げられたフック部１３０の先端付近に設けられる。
フック部側突起１５０の形状は、たとえば半円柱状の突起であって、フック部１３０の短手方向に渡って設けられる。
【００４５】
また支持体側突起１６０、フック材１００の内側に設けられる突起体であって、フック部１３０の先端が近づく支持体１１０付近に設けられる。
支持体側突起１６０の形状は、たとえば半円柱状の突起であって、支持体１１０の短手方向に渡って設けられる。
【００４６】
本実施の形態では、支持体側突起１６０が設けられた位置よりも、フック部１３０の先端側にフック部側突起１５０が位置するような位置関係でフック部側突起１５０および支持体側突起１６０が形成される。
【００４７】
また、フック部側突起１５０および支持体側突起１６０は、フック材１００の上面側から投影したときに、フック部側突起１５０と支持体側突起１６０とが重なるような位置、および大きさでフック部側突起１５０および支持体側突起１６０が形成されることが好ましい。
【００４８】
また、フック部側突起１５０および支持体側突起１６０は、フック材１００の正面側から投影したときに、フック部側突起１５０と支持体側突起１６０とが重なるような位置、および大きさでフック部側突起１５０および支持体側突起１６０が形成されることが好ましい。
【００４９】
このように、上面側からの投影視、または正面側からの投影視でフック部側突起１５０と支持体側突起１６０とが重なるような位置、および大きさでフック部側突起１５０および支持体側突起１６０が形成されることで、挿入口１７０の隙間幅を狭めることができる。
【００５０】
フック部側突起１５０および支持体側突起１６０がフック部１３０の先端付近で挿入口１７０の隙間幅を狭めることで、小学生が乱暴にランドセルを取り扱ったとしても、フック材１００に吊り下げた収容袋が外れにくい。
【００５１】
本実施の形態では、フック部側突起１５０および支持体側突起１６０の形状を半円柱状の突起として説明したが、挿入口１７０の隙間幅を狭めることができれば他の形状で形成することもできる。またフック部側突起１５０および支持体側突起１６０の数量も複数設けることができる。
【００５２】
図２は、収容袋の開口部を閉口するための絞り紐をフック材に挿入する様子を示すフック材の断面図である。
図２（Ａ）に示すように、紐状の絞り紐２００は、挿入口１７０に近づけられる。このとき挿入口１７０は、折り返し部１４０によって広がっているため、その広がった挿入口１７０に絞り紐２００を引っ掛ける。
【００５３】
次に、図２（Ｂ）に示すように、絞り紐２００を下方向に引っ張る動作を行う。この動作により、絞り紐２００は、外側に折り返された折り返し部１４０の内側に沿って、折り返し部１４０と支持体１１０の隙間を移動し、やがてフック部側突起１５０にぶつかる。
【００５４】
このとき、フック部１３０による弾性により、折り返し部１４０と支持体１１０の隙間を移動する絞り紐２００の太さに応じて、挿入口１７０の隙間幅であるフック部１３０の先端と支持体１１０との距離が広がる。やがて絞り紐２００は、フック部側突起１５０の曲面に沿って下方向に移動する。
【００５５】
次に、図２（Ｃ）に示すように、フック部側突起１５０の曲面に沿って下方向に移動した絞り紐２００は、支持体側突起１６０にぶつかる。支持体側突起１６０にぶつかった絞り紐２００は、支持体側突起１６０の曲面に沿って移動し、やがてフック部１３０の底に到達する。
【００５６】
また、挿入口１７０を絞り紐２００が通過したあとは、フック部１３０の弾性により、広げられる前、つまり元の挿入口１７０の隙間幅まで復元される。これにより、フック材１００は絞り紐２００を、指先の力を必要とすることなく容易に挿入することができ、絞り紐２００を有する収容袋を吊り下げることができる。
【００５７】
なお、絞り紐２００を挿入口１７０から挿入するときには、外側に折り返された折り返し部１４０を指でつまんで、外側に引っ張ることで挿入口１７０の隙間幅を広げて絞り紐２００を挿入口１７０から挿入することもできる。
【００５８】
図３は、収容袋の開口部を閉口するための絞り紐がフック材に挿入され、フック材の内側で絞り紐が移動する様子を示すフック材の断面図である。
図３（Ａ）に示すように、絞り紐２００は挿入口１７０から挿入され、挿入口１７０を絞り紐２００が通過したあとは、フック部１３０の弾性により、広げられる前、つまり元の挿入口１７０の隙間幅まで復元される。これにより、フック材１００は挿入口１７０から絞り紐２００挿入することで、絞り紐２００を有する収容袋を吊り下げることができる。
【００５９】
次に、図３（Ｂ）は、たとえば小学生が乱暴にランドセルを取り扱った際に、フック部１３０の底で吊り下げられていた絞り紐２００が、支持体１１０につながるフック部１３０に沿って移動した場合の様子を示している。
【００６０】
図３（Ｂ）に示すように、支持体１１０につながるフック部１３０に沿って絞り紐２００が移動すると、やがて支持体側突起１６０に到達する。これにより、絞り紐２００が挿入口１７０に向かって移動することで、フック材１００から絞り紐２００が外れてしまうことを支持体側突起１６０が防止することができる。
【００６１】
また支持体側突起１６０を絞り紐２００が乗り越えてしまったとしても、支持体側突起１６０の対向側の上方にフック部側突起１５０が設けられて隙間幅が狭められている。このため、フック材１００から絞り紐２００が外れてしまうことをフック部側突起１５０が防止することができる。
【００６２】
つまりフック材１００は、フック部側突起１５０と支持体側突起１６０とで、フック材１００から絞り紐２００が外れてしまうことを二重に防止する機能を備えることができる。
【００６３】
次に、図３（Ｃ）は、たとえば小学生が乱暴にランドセルを取り扱った際に、フック部１３０の底で吊り下げられていた絞り紐２００が、フック部１３０の先端方向に沿って移動した場合の様子を示している。
【００６４】
図３（Ｃ）に示すように、フック部１３０の先端方向に沿って絞り紐２００が移動すると、やがてフック部側突起１５０に到達する。これにより、絞り紐２００が挿入口１７０に向かって移動することで、フック材１００から絞り紐２００が外れてしまうことをフック部側突起１５０が防止することができる。
【００６５】
またフック部側突起１５０を絞り紐２００が乗り越えてしまったとしても、フック部側突起１５０の対向側の下方に支持体側突起１６０が設けられて隙間幅が狭められている。このため、フック材１００から絞り紐２００が外れてしまうことをフック部側突起１５０が防止することができる。
【００６６】
つまりフック材１００は、フック部側突起１５０と支持体側突起１６０とで、フック材１００から絞り紐２００が外れてしまうことを二重に防止する機能を備えることができる。
【００６７】
以上により、フック材１００は、フック部１３０の先端付近にフック部側突起１５０、支持体１１０に支持体側突起１６０を備えることで、フック材１００から絞り紐２００が外れてしまうことを防止することができる。
【００６８】
図４は、収容袋の開口部を閉口するための絞り紐がフック材に挿入され、挿入した絞り紐をフック材から取り外す様子を示すフック材の断面図である。
図４（Ａ）に示すように、絞り紐２００は挿入口１７０から挿入され、挿入口１７０を絞り紐２００が通過したあとは、フック部１３０の弾性により、広げられる前、つまり元の挿入口１７０の隙間幅まで復元される。これにより、フック材１００は挿入口１７０から絞り紐２００挿入することで、絞り紐２００を有する収容袋を吊り下げることができる。
【００６９】
次に、図４（Ｂ）に示すように、フック部１３０の先端方向に沿って絞り紐２００が移動すると、やがてフック部側突起１５０に到達する。この状態で絞り紐２００をフック部１３０の先端外側に向けて引っ張る。これにより、挿入口１７０の隙間幅であるフック部１３０の先端と支持体１１０との距離が広がる。
【００７０】
次に図４（Ｃ）に示すように、フック部１３０の先端と支持体１１０との距離が広がった状態で、絞り紐２００をフック部側突起１５０の曲面に沿って上方向に移動する。これにより、指先の力を必要とすることなく容易にフック材１００から絞り紐２００を取り外すことができる。
【００７１】
図５は、フック部、折り返し部、フック部側突起、および支持体側突起の形状例を示す側面図である。
図５（Ａ）に示すように、フック部側突起１５０および支持体側突起１６０の大きさは、挿入口１７０の隙間幅であるフック部１３０の先端と支持体１１０との距離に応じて、任意の大きさと形状で形成することができる。
【００７２】
また、図５（Ｂ）に示すように、フック部側突起１５０および支持体側突起１６０の形状は、挿入口１７０の隙間幅であるフック部１３０の先端と支持体１１０との距離に応じて、任意の大きさと形状で形成することができる。
【００７３】
具体的には、フック部側突起１５０および支持体側突起１６０を、フック部１３０の短手方向に渡って設けられた三角柱のような多角柱とすることができる。このとき、角部を丸く形成することで、絞り紐２００の挿入、または取り外し動作が容易になる。
【００７４】
また、図５（Ｃ）に示すように、フック部側突起１５０および支持体側突起１６０の形状は、挿入口１７０の隙間幅であるフック部１３０の先端と支持体１１０との距離に応じて、任意の大きさと形状で形成することができる。
【００７５】
具体的には、フック部側突起１５０をフック部１３０の短手方向に渡って設けられた台形柱のような多角柱、支持体側突起１６０を、フック部１３０の短手方向に渡って設けられた三角柱のような多角柱とすることができる。このとき、角部を丸く形成することで、絞り紐２００の挿入、または取り外し動作が容易になる。
【００７６】
また、図５（Ｄ）に示すように、フック部側突起１５０および支持体側突起１６０の形状は、挿入口１７０の隙間幅であるフック部１３０の先端と支持体１１０との距離に応じて、任意の大きさと形状で形成することができる。
【００７７】
具体的には、フック部側突起１５０をフック部１３０の短手方向に渡って設けられた半円柱、支持体側突起１６０を、フック部１３０の短手方向に渡って設けられた三角柱のような多角柱とすることができる。このとき、角部を丸く形成することで、絞り紐２００の挿入、または取り外し動作が容易になる。
【００７８】
また、折り返し部１４０を、さらに大きく折り返すように形成することもできる。これにより、大きく折り返された折り返し部１４０を指でつまむ動作が容易になるので、折り返し部１４０を指でつまんで挿入口１７０を広げる動作も容易になる。
【００７９】
また、図５（Ｅ）に示すように、フック部１３０の形状は、吊り下げる収容袋に収容される収容物の重さなどによって、任意の大きさと形状で形成することができる。
具体的には、フック部１３０の厚さを厚くしたり、フック部１３０を補強するためのリブをフック部１３０の外側に設けたりすることもできる。
【００８０】
また、図５（Ｆ）に示すように、フック部側突起１５０および支持体側突起１６０は、挿入口１７０の隙間幅であるフック部１３０の先端と支持体１１０との距離に応じて、任意の位置に形成することができる。
【００８１】
具体的には、図５（Ｆ）のように、フック部側突起１５０が設けられた位置よりも、上方側の支持体１１０に支持体側突起１６０が位置するような位置関係でフック部側突起１５０および支持体側突起１６０が形成されてもよい。
【００８２】
また、支持体側突起１６０が設けられた位置よりも、フック部１３０の先端側にフック部側突起１５０が位置するような位置関係でフック部側突起１５０および支持体側突起１６０が形成されてもよい。
【００８３】
また、図５（Ｇ）に示すように、フック部側突起１５０および支持体側突起１６０の形状は、挿入口１７０の隙間幅であるフック部１３０の先端と支持体１１０との距離に応じて、任意の大きさと形状で形成することができる。
【００８４】
具体的には、フック部側突起１５０をフック部１３０の短手方向に渡って設けられた三角柱のような多角柱、支持体側突起１６０を、フック部１３０の短手方向に渡って設けられた四角柱のような多角柱とすることができる。このとき、角部を丸く形成することで、絞り紐２００の挿入、または取り外し動作が容易になる。
【００８５】
また、図５（Ｈ）に示すように、フック部１３０の先端から外側に折り曲げられた折り返し部１４０の外側部分に、滑り止め防止のための滑り止め手段１４１を設けることができる。
【００８６】
たとえば滑り止め手段１４１は、小さな細かい複数の突起が折り返し部１４０の外側部分に形成されたものである。この滑り止め手段１４１を形成することで、折り返し部１４０を指でつまんで、外側に引っ張ることで挿入口１７０の隙間幅を広げる際に、指が折り返し部１４０から滑ってしまうことを防止することができる。
【００８７】
なお、図５では、三角柱や四角柱など多角柱や半円柱を例にして説明したが、三角錐や四角錐、半球状の突起を、フック部側突起１５０または支持体側突起１６０として形成することもできる。
【００８８】
〔第２の実施の形態〕
次に、本考案の第２の実施の形態について説明する。本実施の形態のフック材は、フック材の配置方向が異なる以外は、第１の実施の形態で示した構成とほぼ同様である。このため、上記第１の実施の形態とほぼ同様の構成部分については同一の符号を付すなどして適宜その説明を省略する。
【００８９】
図６は、第２の実施の形態に係るフック全体に紙材を固定する様子を示す側面図である。
図６（Ａ）に示すようにフック材１００は、支持体１１０、連結部１２０、フック部１３０、折り返し部１４０、フック部側突起１５０、および支持体側突起１６０を備えている。
【００９０】
本実施の形態のフック材１００は、たとえば机や壁などの壁面に取り付けられて、メモ帳やオーダー用紙、プリントなどの紙材を挟んで固定するためのフックである。
支持体１１０は、ランドセルの側面に沿って垂直方向に設けられるものであって、プラスチックなどの合成樹脂が縦長の平面状に形成されたものである。
【００９１】
支持体１１０の一方側、本実施の形態では下方側には、フック材１００を壁面に取り付けて支持するための連結部１２０が設けられている。連結部１２０は、たとえば支持体１１０から下方向に、プラスチックなどの合成樹脂が延設されたものである。
【００９２】
なお、本実施の形態で連結部１２０は、支持体１１０から下方向に設けられる例で示すが、連結部１２０を支持体１１０から上方向、または支持体１１０の中程、または複数箇所に設けることもできる。
【００９３】
連結部１２０の中心部付近には、たとえばハトメなどの鋲材で壁材とフック材１００とを連結するための連結穴１２１があけられている。これにより、フック材１００とランドセルとが回転自在に連結することができる。
【００９４】
フック材１００と壁面との連結方法は、鋲材による連結だけでなく、他の連結手段で連結してもよい。また連結手段によって、連結部１２０の形状は、任意の形状で形成することができる。
【００９５】
支持体１１０の他方側、本実施の形態では上方側には、フック材１００にメモ帳やオーダー用紙、プリントなどの紙材を挟んで固定するためのフック部１３０が設けられている。
【００９６】
フック部１３０は、支持体１１０の上端部から延設されて、下方向に向けられてＵ字状に折り曲げられ、折り曲げられたフック部１３０の先端が支持体１１０に近づくように形成されている。
このＵ字状に折り曲げられフック部１３０の内側には、たとえばメモ帳やオーダー用紙、プリントなどの紙材３００などが挟まれて固定される。
【００９７】
また支持体１１０に近づくように折り曲げられたフック部１３０の先端と、支持体１１０との間に隙間が形成されることで、この隙間が紙材３００を挿入するための挿入口１７０となる。
【００９８】
支持体１１０に近づくように形成されたフック部１３０の先端には、フック部１３０から延設されてフック材１００の外側に折り返されるように折り曲げられた折り返し部１４０が形成される。
【００９９】
支持体１１０に近づくように折り曲げられたフック部１３０の先端に、折り返し部１４０を設けることで、挿入口１７０が大きくなる。これにより、挿入口１７０から紙材３００を挿入する動作がしやすくなる。
【０１００】
フック部側突起１５０は、フック材１００の内側に設けられる突起体であって、支持体１１０に近づくように折り曲げられたフック部１３０の先端付近に設けられる。
フック部側突起１５０の形状は、たとえば半円柱状の突起であって、フック部１３０の短手方向に渡って設けられる。
【０１０１】
また支持体側突起１６０、フック材１００の内側に設けられる突起体であって、フック部１３０の先端が近づく支持体１１０付近に設けられる。
支持体側突起１６０の形状は、たとえば半円柱状の突起であって、支持体１１０の短手方向に渡って設けられる。
【０１０２】
また挿入口１７０から絞り紐２００が挿入されたあとは、フック部１３０の弾性により、広げられる前、つまり元の挿入口１７０の隙間幅まで復元される。
この元の挿入口１７０の隙間幅を閉塞するように、フック部側突起１５０、および支持体側突起１６０が形成されている。
【０１０３】
また、フック部側突起１５０および支持体側突起１６０は、フック材１００の上面側から投影したときに、フック部側突起１５０と支持体側突起１６０とが重なるような位置、および大きさでフック部側突起１５０および支持体側突起１６０が形成される。
【０１０４】
また、フック部側突起１５０および支持体側突起１６０は、フック材１００の正面側から投影したときに、フック部側突起１５０と支持体側突起１６０とが重なるような位置、および大きさでフック部側突起１５０および支持体側突起１６０が形成される。
【０１０５】
これにより、図６（Ｂ）に示すように、下側に開口するように形成された挿入口１７０から挿入される紙材３００が、フック部側突起１５０と支持体側突起１６０によって挟持される。
【０１０６】
またフック材１００から、紙材３００を取り外す際は、図６（Ｃ）に示すように、紙材３００を下方向に引っ張るだけで、フック部側突起１５０と支持体側突起１６０によって挟持された紙材３００を容易に取り外すことができる。
【０１０７】
なお、本実施の形態では、フック材１００は、たとえば机や壁などの壁面に取り付けられて、メモ帳やオーダー用紙、プリントなどの紙材を挟んで固定するものとして説明したが、挟んで固定されるものは紙材だけでなく、フック材１００が挟持できれば他の薄圧材であってもよい。
【０１０８】
また、上述の実施形態に関し、更に以下の付記を開示する。
（付記１）
垂直方向に設けられる支持体と、前記支持体の一方の端部が前記支持体の他方側に向けて延設されてフック状に折り返されるフック部と、を具備するフック材において、
前記支持体と接近する位置まで延設された前記フック部の先端と、前記支持体と、が接近した前記フック部に挿入するための挿入口の近傍における前記支持体側から突設された支持体側突起と、
前記挿入口の近傍における前記フック部側から突設されたフック部側突起と、
を備えることを特徴とするフック材。
（付記２）
前記支持体側突起および前記フック部側突起は、
上面方向からの投影視で重なりを有する位置に設けられること、
を特徴とする付記１記載のフック材。
（付記３）
前記支持体側突起および前記フック部側突起は、
正面方向からの投影視で重なりを有する位置に設けられること、
を特徴とする付記１記載のフック材。
（付記４）
前記フック部側突起は、
前記支持体側突起よりも、前記挿入口側に設けられること、
を特徴とする付記１記載のフック材。
（付記５）
前記支持体側突起または前記フック部側突起のうち、少なくとも一方が、短手方向に渡って設けられる半円柱であること、
を特徴とする付記１記載のフック材。
（付記６）
前記支持体側突起または前記フック部側突起のうち、少なくとも一方が、短手方向に渡って設けられる三角柱であること、
を特徴とする付記１記載のフック材。
（付記７）
前記挿入口から外側に折り返された折り返し部、
を備えることを特徴とする付記１記載のフック材。
（付記８）
前記折り返し部の折り返された内側が、
前記折り返し部を把持した際の滑り止め手段、
を備えることを特徴とする付記７記載のフック材。
（付記９）
前記挿入口の開口部が上方に向けて配置され、
前記開口部の上方から、前記フック部に吊り下げられる対象物が差し込まれること、
を特徴とする付記１記載のフック材。
（付記１０）
前記挿入口の開口部が下方に向けて配置され、
前記開口部の下方から、前記支持体側突起および前記フック部側突起によって把持される対象が差し込まれること、
を特徴とする付記１記載のフック材。
（付記１１）
垂直方向に設けられる支持体と、前記支持体の一方の端部が前記支持体の他方側に向けて延設されてフック状に折り返されるフック部と、を具備するフック材の製造方法において、
前記支持体と接近する位置まで延設された前記フック部の先端と、前記支持体と、が接近した前記フック部に挿入するための挿入口の近傍における前記支持体側から支持体側突起が突設される工程と、
前記挿入口の近傍における前記フック部側からフック部側突起が突設される工程と、
を備えることを特徴とするフック材の製造方法。
【符号の説明】
【０１０９】
１００  フック材
１１０  支持体
１２０  連結部
１２１  連結穴
１３０  フック部
１４０  折り返し部
１４１  滑り止め手段
１５０  フック部側突起
１６０  支持体側突起
１７０  挿入口
２００  絞り紐
３００  紙材
【図１】
0003229744.tif 000003
【図２】
0003229744.tif 000004
【図３】
0003229744.tif 000005
【図４】
0003229744.tif 000006
【図５】
0003229744.tif 000007
【図６】
0003229744.tif 000008